(57)【要約】【課題】ＤＰＱＳＫ方式による変調信号を切り替えダイバーシティ受信する際の受信特性を向上させる。【解決手段】受信系統１０によるＤＰＱＳＫ受信信号ｚA［ｋ］と、その遅延信号ｚA［ｋ−１］にて第１信号群を形成し、受信系統２０によるＤＰＱＳＫ受信信号ｚB［ｋ］と、その遅延信号ｚB［ｋ−１］にて第２信号群を形成する。信号選択部３０は、ｚA［ｋ］及び／又はｚA［ｋ−１］から受信系統１０の受信信号の大きさを検出する共にｚB［ｋ］及び／又はｚB［ｋ−１］から受信系統２０の受信信号の大きさを検出する。前者の検出値が後者の検出値よりも大きい場合には第１信号群（ｚA［ｋ］及びｚA［ｋ−１］）を選択的に用いてＤＱＰＳＫ復調を成し、逆の場合には第２信号群（ｚB［ｋ］及びｚB［ｋ−１］）を選択的に用いてＤＱＰＳＫ復調を成す。【選択図】図１
2011119822.tif 000002
【特許請求の範囲】
【請求項１】
第１及び第２受信系統を含む複数の受信系統を備え、変調された信号を各受信系統にて受信する受信装置において、
第１受信系統による第１受信信号を遅延させた信号を出力する第１遅延部と、
第２受信系統による第２受信信号を遅延させた信号を出力する第２遅延部と、
第１受信系統の受信信号の大きさと第２受信系統の受信信号の大きさとの比較結果に基づいて、第１受信信号と前記第１遅延部の出力信号から成る第１信号群、又は、第２受信信号と前記第２遅延部の出力信号から成る第２信号群を選択する選択部と、を備え、選択した信号群を用いて復調を行う
ことを特徴とする受信装置。
【請求項２】
前記第１受信信号及び前記第１遅延部の出力信号の両方又は一方に基づいて、第１受信系統の受信信号の大きさを検出する第１検出部と、
前記第２受信信号及び前記第２遅延部の出力信号の両方又は一方に基づいて、第２受信系統の受信信号の大きさを検出する第２検出部と、
第１受信系統の受信信号の大きさと第２受信系統の受信信号の大きさを比較する比較部と、を更に備え、
前記選択部は、前記比較部の比較結果に基づいて、第１信号群又は第２信号群を選択する
ことを特徴とする請求項１に記載の受信装置。
【請求項３】
各受信系統は、時間的に連続する２つの対象信号の、ＩＱ平面上における信号点の関係に基づいて情報符号を割り当てる変調方式により変調された信号を受信する
ことを特徴とする請求項１または請求項２に記載の受信装置。
【請求項４】
前記選択部は、
第１受信系統の受信信号の大きさが第２受信系統の受信信号の大きさよりも大きい場合には、第１信号群を選択する一方、
第２受信系統の受信信号の大きさが第１受信系統の受信信号の大きさよりも大きい場合には、第２信号群を選択する
ことを特徴とする請求項１〜請求項３の何れかに記載の受信装置。
【請求項５】
前記第１受信信号の大きさ又は前記第１遅延部の出力信号の大きさが所定の下限値よりも小さい場合には、前記比較結果に関わらず、前記選択部に第２信号群を選択させる一方、前記第２受信信号の大きさ又は前記第２遅延部の出力信号の大きさが前記下限値よりも小さい場合には、前記比較結果に関わらず、前記選択部に第１信号群を選択させる選択制御部を更に備えた
ことを特徴とする請求項１〜請求項４の何れかに記載の受信装置。
【発明の詳細な説明】
【技術分野】
【０００１】
本発明は、ＤＱＰＳＫ方式等の変調方式によって変調された信号を受信する受信装置に関する。
【背景技術】
【０００２】
デジタル信号の変調方式の一つとして、ＤＱＰＳＫ（Differential Quadrature Phase Shift Keying；差動四相位相偏移変調）方式が知られている。
【０００３】
ＤＱＰＳＫの基礎となるＱＰＳＫ（Quadrature Phase Shift Keying）の説明を先に行いつつ、ＤＱＰＳＫについて説明する。
【０００４】
離散時刻ｋにおける２つの情報データをａ［ｋ］及びｂ［ｋ］にて表すと、ＱＰＳＫでは、情報データａ［ｋ］及びｂ［ｋ］に対して、下式（Ａ１）に示すＱＰＳＫ信号ｙ［ｋ］が割り当てられる。ａ［ｋ］及びｂ［ｋ］の夫々は、１又は（−１）をとる１ビットデータである。ｊは、虚数単位である。また、√２は、２の正の平方根を表す。
ｙ［ｋ］＝（ａ［ｋ］＋ｊ・ｂ［ｋ］）／√２          ・・・（Ａ１）
【０００５】
ａ及びｂは、夫々、送信装置から受信装置に伝送されるべき第１及び第２の情報データを表し、ｙはＱＰＳＫ信号を表している。ａ［ｋ］、ｂ［ｋ］及びｙ［ｋ］は、夫々、離散時刻ｋにおける第１の情報データ、第２の情報データ及びＱＰＳＫ信号を表している。このように、［  ］を伴う記号において、［  ］内の文字列は離散時刻を表している。従って例えば、離散時刻（ｋ−１）、ｋ及び（ｋ＋１）におけるＱＰＳＫ信号は、夫々、ｙ［ｋ−１］、ｙ［ｋ］及びｙ［ｋ＋１］である。この表記方法は、［  ］を伴う全ての記号に当てはまる。ｋは任意の整数値をとる。離散時刻（ｋ−１）から単位時間が経過した時刻は離散時刻ｋであり、離散時刻ｋから単位時間が経過した時刻は離散時刻（ｋ＋１）である。
【０００６】
ＤＱＰＳＫによって変調された信号ｚ［ｋ］は、下式（Ａ２）にて表される。ＤＱＰＳＫによって変調された信号をＤＱＰＳＫ変調信号と呼ぶ。ｚ［ｋ−１］及びｚ［ｋ］の夫々は、ＤＱＰＳＫ変調信号である。
ｚ［ｋ］＝ｚ［ｋ−１］・ｙ［ｋ］                  ・・・（Ａ２）
【０００７】
複素信号であるＱＰＳＫ信号ｙ［ｋ］の信号点は、図５に示す如く、次の４つの信号点の何れかとなる。
（−１／√２，１／√２）  、（１／√２，１／√２）、
（−１／√２，−１／√２）、（１／√２，−１／√２）
【０００８】
本明細書では、任意の複素信号の実部及び虚部が夫々Ｒｅ及びＩｍで表される場合、その複素信号を“Ｒｅ＋ｊ・Ｉｍ”によって表すことがある。複素信号において、実部を同相成分と呼ぶと共に虚部を直交成分と呼ぶ。更に、一般的なデジタル変復調の考察において採用されるように、同相成分及び直交成分に夫々Ｉ軸及びＱ軸を割り当てて、複素平面をＩＱ平面と呼ぶ。Ｑ軸は、Ｉ軸を反時計回り方向に９０°だけ回転したものである。“Ｒｅ＋ｊ・Ｉｍ”によって表される複素信号がＩＱ平面上に配置されるべき点を信号点（Ｒｅ，Ｉｍ）と表記する。本明細書において、単に信号点といった場合、それはＩＱ平面上の信号点を指す。
【０００９】
ＩＱ平面上の任意の信号点に対してＱＰＳＫ信号ｙ［ｋ］を乗算する処理は、該信号点の位置を３１５°、４５°、１３５°、２２５°だけ回転させる処理に等しい。以下に、４種類のＱＰＳＫ信号ｙ［ｋ］と回転角との関係を示す。例えば、信号点の位置が（１，０）である複素信号にｙ［ｋ］＝（１／√２，１／√２）を乗算すると、ＩＱ平面上において、その複素信号の信号点は３１５°だけ回転し、信号点の位置は（１，０）から（１／√２，１／√２）へと遷移する。尚、以下の説明における信号点の回転とは、特に記述なき限り、ＩＱ平面の原点を軸とした時計回り方向への回転を意味する。
（１／√２，１／√２）    ・・・３１５°
（１／√２，−１／√２）  ・・・４５°
（−１／√２，−１／√２）・・・１３５°
（−１／√２，１／√２）  ・・・２２５°
【００１０】
従って、式（Ａ２）からも分かるように、ＤＱＰＳＫ変調信号ｚの信号点は、図６（ａ）に示す第１信号点群中の何れか又は図６（ｂ）に示す第２信号点群中の何れかとなり、単位時間を単位とする時間経過に伴って、ＤＱＰＳＫ変調信号ｚの信号点が第１信号点になる状態とＤＱＰＳＫ変調信号ｚの信号点が第２信号点になる状態が交互に発生する。
第１信号点群は、４つの第１信号点
（−１／√２，１／√２）  、（１／√２，１／√２）、
（−１／√２，−１／√２）、（１／√２，−１／√２）
から成り、
第２信号点群は、４つの第２信号点
（１，０）  、（０，１）、（−１，０）、（０，−１）
から成る。
【００１１】
雑音がないと仮定すると、一般的には、ＤＱＰＳＫで変調された信号は次式（Ａ３）に従って復調される。但し、｜ｚｃ［ｋ−１］｜＝１となるように正規化を施した。また、ｚｃはｚの共役複素数である。
ｙ［ｋ］＝ｚ［ｋ］・ｚｃ［ｋ−１］／｜ｚｃ［ｋ−１］｜
＝ｚ［ｋ］・ｚｃ［ｋ−１］                            ・・・（Ａ３）
【００１２】
図７に、従来のＤＱＰＳＫ受信装置の構成ブロック図を示す。アンテナ２０１で受信された信号は、所望の周波数帯域に周波数変換された後、或いは、周波数変換されることなく直接に、Ａ／Ｄ変換部２０２に入力されてデジタル受信信号に変換される。同期処理部２０３は、同期処理によってデジタル受信信号から各離散時刻におけるＤＱＰＳＫ変調信号を個別に抜き出す。例えば、ＤＱＰＳＫ変調信号は、図８に示すような時系列信号であるため、単位時間を単位とする同期処理により抜き出しタイミングを調整しつつ個々のＤＱＰＳＫ変調信号を抜き取る。ＤＱＰＳＫ復調部２０４は、上述したように、各ＤＱＰＳＫ変調信号を１単位時間前の共役信号と乗算することでＤＱＰＳＫ復調信号を得る。
【００１３】
一方、受信に良く用いられる方式にダイバーシティ受信方式があり、ダイバーシティ受信方式の一種に切り替えダイバーシティ受信が存在する。切り替えダイバーシティ受信は、選択ダイバーシティ受信とも呼ばれている。一般的に、移動受信はフェージングの影響を受ける。フェージングの影響下では、位相の互いに異なる複数の信号が加算されて受信される。この加算が逆相信号同士の加算となると、受信信号レベルが極端に小さくなる。切り替えダイバーシティ受信を行う受信装置には第１及び第２受信系統が設けられ、第１及び第２受信系統による第１及び第２受信信号の内、信号レベルが大きいほう方を選択的に用いて復調を行う（例えば、下記特許文献１参照）。この選択の様子を図９に示す。
【００１４】
また、図１０に、切り替えダイバーシティ受信を行う従来の受信装置の構成ブロック図を示す。図１０の受信装置にはＡチャンネルの受信系統２１０及びＢチャンネルの受信系統２２０が備えられており、各受信系統には、アンテナ２０１、Ａ／Ｄ変換部２０２及び同期処理部２０３が設けられている。受信系統２１０及び２２０の受信信号の内、信号レベルの大きい方の受信信号を信号選択部２０５にて選択してＤＱＰＳＫ復調部２０４に与えることで復調を行う。
【００１５】
図１１は、受信系統２１０及び２２０の受信信号と信号選択部２０５の選択信号との関係例を示す図である。図１１において、ＤＱＰＳＫA［ｉ］は、受信系統２１０の同期処理部２０３によって受信系統２１０の受信信号から抜き出された、離散時刻ｉに対応したＤＱＰＳＫ変調信号を表し、ＤＱＰＳＫB［ｉ］は、受信系統２２０の同期処理部２０３によって受信系統２２０の受信信号から抜き出された、離散時刻ｉに対応したＤＱＰＳＫ変調信号を表す。ここで、ｉは整数である。図１１の例では、切り替えダイバーシティにより受信系統２１０の受信信号と受信系統２２０の受信信号が交互に選択されており、信号選択部２０５からＤＱＰＳＫA［１］、ＤＱＰＳＫB［２］、ＤＱＰＳＫA［３］、ＤＱＰＳＫB［４］が順にＤＱＰＳＫ復調部２０４に与えられる。この場合、異なるチャンネルの受信信号（例えば、ＤＱＰＳＫA［１］及びＤＱＰＳＫB［２］）を用いてＤＱＰＳＫ復調が行われることとなる。ＤＱＰＳＫ方式を採用した受信装置に特許文献１の技術を適用した場合も同様である。
【先行技術文献】
【特許文献】
【００１６】
【特許文献１】特開平１１−３４０９４５号公報
【発明の概要】
【発明が解決しようとする課題】
【００１７】
Ａ及びＢチャンネルにて受信されるべき信号の位相が、伝送路上の信号伝播過程において回転していなかったならば、異なるチャンネルの受信信号（例えば、ＤＱＰＳＫA［１］及びＤＱＰＳＫB［２］）を用いてＤＱＰＳＫ復調を行っても正確な復調信号を得ることができる。
【００１８】
しかしながら、フェージング環境下では、一方又は双方の位相が回転することもある。例えば、図１２に示す如く、黒丸に対応する本来の信号点の位置が位相回転によって、白丸に対応する位置へと変化することがある。図１２の例では、位相回転の前後で信号点の属する象限が変化している。Ａチャンネルに対しては位相回転が全くなく、Ｂチャンネルに対しては上記のような象限の変わる位相回転が発生していた場合において、異なるチャンネルの受信信号が交互に選択されたならば（例えば、ＤＱＰＳＫA［１］及びＤＱＰＳＫB［２］が信号選択部２０５にて選択されたならば）、ＤＱＰＳＫの原理上、ＤＱＰＳＫ復調を正確に行うことができず受信特性が劣化する。
【００１９】
そこで本発明は、ＤＱＰＳＫ方式等を採用して切り替えダイバーシティ受信を行う場合において良好な受信特性を得ることが可能な受信装置を提供することを目的とする。
【課題を解決するための手段】
【００２０】
本発明に係る受信装置は、第１及び第２受信系統を含む複数の受信系統を備え、変調された信号を各受信系統にて受信する受信装置において、第１受信系統による第１受信信号を遅延させた信号を出力する第１遅延部と、第２受信系統による第２受信信号を遅延させた信号を出力する第２遅延部と、第１受信系統の受信信号の大きさと第２受信系統の受信信号の大きさとの比較結果に基づいて、第１受信信号と前記第１遅延部の出力信号から成る第１信号群、又は、第２受信信号と前記第２遅延部の出力信号から成る第２信号群を選択する選択部と、を備え、選択した信号群を用いて復調を行うことを特徴とする。
【００２１】
これにより、ＤＱＰＳＫ方式等を採用して切り替えダイバーシティ受信を行う場合においても、良好な受信特性を得ることが可能となる。
【００２２】
具体的には例えば、当該受信装置は、前記第１受信信号及び前記第１遅延部の出力信号の両方又は一方に基づいて、第１受信系統の受信信号の大きさを検出する第１検出部と、前記第２受信信号及び前記第２遅延部の出力信号の両方又は一方に基づいて、第２受信系統の受信信号の大きさを検出する第２検出部と、第１受信系統の受信信号の大きさと第２受信系統の受信信号の大きさを比較する比較部と、を更に備え、前記選択部は、前記比較部の比較結果に基づいて、第１信号群又は第２信号群を選択する。
【００２３】
また具体的には例えば、各受信系統は、時間的に連続する２つの対象信号の、ＩＱ平面上における信号点の関係に基づいて情報符号を割り当てる変調方式により変調された信号を受信する。
【００２４】
そして例えば、前記選択部は、第１受信系統の受信信号の大きさが第２受信系統の受信信号の大きさよりも大きい場合には、第１信号群を選択する一方、第２受信系統の受信信号の大きさが第１受信系統の受信信号の大きさよりも大きい場合には、第２信号群を選択する。
【００２５】
また例えば、前記第１受信信号の大きさ又は前記第１遅延部の出力信号の大きさが所定の下限値よりも小さい場合には、前記比較結果に関わらず、前記選択部に第２信号群を選択させる一方、前記第２受信信号の大きさ又は前記第２遅延部の出力信号の大きさが前記下限値よりも小さい場合には、前記比較結果に関わらず、前記選択部に第１信号群を選択させる選択制御部を、当該受信装置に更に設けるようにしても良い。
【００２６】
これにより、信号レベル等の小さな信号群が選択対象から除外される。結果、更なる受信特性の向上が図られる。
【発明の効果】
【００２７】
本発明によれば、ＤＱＰＳＫ方式等を採用して切り替えダイバーシティ受信を行う場合において良好な受信特性を得ることが可能な受信装置を提供できる。
【００２８】
本発明の意義ないし効果は、以下に示す実施の形態の説明により更に明らかとなろう。ただし、以下の実施の形態は、あくまでも本発明の一つの実施形態であって、本発明ないし各構成要件の用語の意義は、以下の実施の形態に記載されたものに制限されるものではない。
【図面の簡単な説明】
【００２９】
【図１】本発明の実施形態に係る受信装置の構成ブロック図である。
【図２】図１の受信装置に用いることのできる信号選択部の内部ブロック図である。
【図３】図１の受信装置に用いることのできる他の信号選択部の内部ブロック図である。
【図４】本発明の実施形態に係り、ＡチャンネルのＤＱＰＳＫ受信信号、第１信号群、ＢチャンネルのＤＱＰＳＫ受信信号、第２信号群及び信号選択部の出力信号の関係例を示す図である。
【図５】従来技術に係り、ＩＱ平面上におけるＱＰＳＫ信号の信号点位置を示す図である。
【図６】従来技術に係り、ＩＱ平面上におけるＤＱＰＳＫ信号の信号点位置を示す図である。
【図７】ＤＱＰＳＫ変調信号を受信する、従来の受信装置の構成ブロック図である。
【図８】従来技術に係り、ＤＱＰＳＫ変調信号が時系列信号であることを示すための図である。
【図９】従来技術に係り、切り替えダイバーシティ受信の概念図である。
【図１０】切り替えダイバーシティ受信を用いて、ＤＱＰＳＫ変調信号を受信及び復調する従来の受信装置の構成ブロック図である。
【図１１】図１０の受信装置を用いた場合における、Ａ及びＢチャンネル間の選択の様子を示す図である。
【図１２】従来技術に係り、フェージングの影響によって信号点の位相が回転する様子を示す図である。
【発明を実施するための形態】
【００３０】
以下、本発明の一実施形態につき、図面を参照して具体的に説明する。参照される各図において、同一の部分には同一の符号を付し、同一の部分に関する重複する説明を原則として省略する。背景技術の説明の欄において上述した事項は、矛盾なき限り、本実施形態にも適用される。即ち例えば、ａ及びｂは送信装置から受信装置に伝送されるべき情報データを表し、ａ［ｋ］及びｂ［ｋ］は離散時刻ｋにおける情報データを表し、ｚは情報データａ及びｂに応じたＤＱＰＳＫ変調信号を表し、ｚ［ｋ］は離散時刻ｋにおけるＤＱＰＳＫ変調信号を表す。
【００３１】
尚、本明細書では、符号又は記号を付記することによって符号又は記号に対応する部位又は信号等の名称を、略記又は省略することがある。例えば、ＤＱＰＳＫ変調信号ｚ［ｋ］を、信号ｚ［ｋ］と記述したり単にｚ［ｋ］と記述したりすることもある。
【００３２】
図１は、本実施形態に係る受信装置１の構成ブロック図である。受信装置１は、受信系統１０及び２０、遅延部１４及び２４、信号選択部３０、ＤＱＰＳＫ復調部３１を備える。Ａチャンネルの受信系統である受信系統１０には、アンテナ１１、Ａ／Ｄ変換部１２及び同期処理部１３が備えられ、Ｂチャンネルの受信系統である受信系統２０には、アンテナ２１、Ａ／Ｄ変換部２２及び同期処理部２３が備えられている。受信装置１では、受信系統１０及び２０を選択的に用いて受信信号の復調を行う切り替えダイバーシティ受信（選択ダイバーシティ受信）が実施される。
【００３３】
受信装置１と共に通信システムを形成する送信装置（不図示）は、受信装置１に伝送されるべき情報データａ及びｂに応じてＤＱＰＳＫ方式により変調された信号、即ちＤＱＰＳＫ変調信号を生成して送信する。送信装置から送信されたＤＱＰＳＫ変調信号は、伝送路を介してアンテナ１１及び２１の夫々にて受信される。アンテナ１１及び２１は、受信装置１の筐体（不図示）上の互いに異なる位置に配置された、互いに異なるアンテナである。
【００３４】
アンテナ１１にて受信された信号は、所望の周波数帯域に周波数変換された後、或いは、周波数変換されることなく直接に、Ａ／Ｄ変換部１２に入力されてデジタル受信信号に変換される。同期処理部１３は、Ａ／Ｄ変換部１２にて得られたデジタル受信信号から各離散時刻におけるＤＱＰＳＫ変調信号を同期処理によって個別に抜き出す。ＤＱＰＳＫ変調信号は、時系列信号である。故に、同期処理部１３は、隣接する離散時刻間の間隔を単位とする同期処理により抜き出しタイミングを調整しつつ個々のＤＱＰＳＫ変調信号を抜き取って出力する。
【００３５】
受信系統１０と受信系統２０は同じ構成を有しており、アンテナ２１、Ａ／Ｄ変換部２２及び同期処理部２３は、夫々、アンテナ１１、Ａ／Ｄ変換部１２及び同期処理部１３と同じものである。即ち、アンテナ２１にて受信された信号は、所望の周波数帯域に周波数変換された後、或いは、周波数変換されることなく直接に、Ａ／Ｄ変換部２２に入力されてデジタル受信信号に変換される。同期処理部２３は、Ａ／Ｄ変換部２２にて得られたデジタル受信信号から各離散時刻におけるＤＱＰＳＫ変調信号を同期処理によって個別に抜き出し、抜き出した個々のＤＱＰＳＫ変調信号を出力する。
【００３６】
送信装置で生成されるＤＱＰＳＫ変調信号と異なり、同期処理部１３及び２３にて抜き出されたＤＱＰＳＫ変調信号には、送信装置及び受信装置１間の伝送路で付与された雑音が重畳している。前者と後者を明確に区別すべく、後者（即ち、同期処理部１３又は２３から出力されるＤＱＰＳＫ変調信号）を特にＤＱＰＳＫ受信信号と呼ぶ。
【００３７】
遅延部１４は、同期処理部１３から出力されるＤＱＰＳＫ受信信号を１単位時間分だけ遅延させた信号を出力する。同様に、遅延部２４は、同期処理部２３から出力されるＤＱＰＳＫ受信信号を１単位時間分だけ遅延させた信号を出力する。
【００３８】
Ａチャンネルの同期処理部１３から出力される、離散時刻ｋにおけるＤＱＰＳＫ受信信号をｚA［ｋ］にて表すと共に、Ｂチャンネルの同期処理部２３から出力される、離散時刻ｋにおけるＤＱＰＳＫ受信信号をｚB［ｋ］にて表す。送信装置にて生成されたＤＱＰＳＫ変調信号ｚ［ｋ］の、受信系統２１０による受信信号がｚA［ｋ］であり、送信装置にて生成されたＤＱＰＳＫ変調信号ｚ［ｋ］の、受信系統２２０による受信信号がｚB［ｋ］であある。
【００３９】
更に、ＤＱＰＳＫ受信信号ｚA［ｋ］の同相成分及び直交成分を夫々ｃA［ｋ］及びｄA［ｋ］にて表すと共に、ＤＱＰＳＫ受信信号ｚB［ｋ］の同相成分及び直交成分を夫々ｃB［ｋ］及びｄB［ｋ］にて表す。従って、
ｚA［ｋ］＝ｃA［ｋ］＋ｊ・ｄA［ｋ］、
ｚB［ｋ］＝ｃB［ｋ］＋ｊ・ｄB［ｋ］、
である（上述したようにｊは虚数単位）。
【００４０】
遅延部１４及び２４は、夫々、同期処理部１３及び２３から出力されるＤＱＰＳＫ受信信号を１単位時間分だけ遅延させた信号を出力するのであるから、同期処理部１３及び２３からｚA［ｋ］及びｚB［ｋ］が出力されているタイミングにおいては、遅延部１４からｚA［ｋ−１］（＝ｃA［ｋ−１］＋ｊ・ｄA［ｋ−１］）が出力され且つ遅延部２４からｚB［ｋ−１］（＝ｃB［ｋ−１］＋ｊ・ｄB［ｋ−１］）が出力される。
【００４１】
信号選択部３０は、同期処理部１３の出力信号と遅延部１４の出力信号とから成る第１信号群、又は、同期処理部２３の出力信号と遅延部２４の出力信号とから成る第２信号群を選択し、選択した信号群をＤＱＰＳＫ復調部３１に与える。これにより、ＤＱＰＳＫ復調は必ず同一チャンネルの信号を用いて行われることになる。
【００４２】
信号選択部３０は、同期処理部１３及び２３からｚA［ｋ］及びｚB［ｋ］が出力されているタイミングにおいては、ｚA［ｋ］及びｚA［ｋ−１］から成る第１信号群又はｚB［ｋ］及びｚB［ｋ−１］から成る第２信号群を選択して、選択した信号群をＤＱＰＳＫ復調部３１に与える。ｚA［ｋ］及びｚA［ｋ−１］から成る第１信号群とｚB［ｋ］及びｚB［ｋ−１］から成る第２信号群の何れかである、選択された信号群をｚSEL［ｋ］及びｚSEL［ｋ−１］にて表す。ｚA［ｋ］及びｚA［ｋ−１］から成る第１信号群が選択された場合には、ｚSEL［ｋ］＝ｚA［ｋ］且つｚSEL［ｋ−１］＝ｚA［ｋ−１］であり、ｚB［ｋ］及びｚB［ｋ−１］から成る第２信号群が選択された場合には、ｚSEL［ｋ］＝ｚB［ｋ］且つｚSEL［ｋ−１］＝ｚB［ｋ−１］である。
【００４３】
上述したように、ＤＱＰＳＫ方式では、時間的に連続する２つのＤＱＰＳＫ変調信号ｚ［ｋ］及びｚ［ｋ−１］の信号点の関係に基づいて、情報符号である情報データａ［ｋ］及びｂ［ｋ］が割り当てられる。従って、ＤＱＰＳＫ復調部３１は、それらの２つのＤＱＰＳＫ変調信号ｚ［ｋ］及びｚ［ｋ−１］に対応する２つのＤＱＰＳＫ受信信号ｚSEL［ｋ］及びｚSEL［ｋ−１］に基づいて受信装置１の受信信号の復調を行うことができる（即ち、情報データａ［ｋ］及びｂ［ｋ］の値を判定することができる）。
【００４４】
具体的には、ＤＱＰＳＫ復調部３１は、下記式（Ｂ１）に従って複素信号ｙ’［ｋ］を算出し、複素信号ｙ’［ｋ］に基づいて受信装置１の受信信号の復調を行うことで情報データａ［ｋ］及びｂ［ｋ］の値を判定する。但し、式（Ｂ１）の算出において、｜ｚｃSEL［ｋ−１］｜＝１となるように正規化を施した。ｚｃSEL［ｋ−１］は、ｚSEL［ｋ−１］の共役複素数である。
ｙ’［ｋ］＝ｚSEL［ｋ］・ｚｃSEL［ｋ−１］／｜ｚｃSEL［ｋ−１］｜
＝ｚSEL［ｋ］・ｚｃSEL［ｋ−１］                      ・・・（Ｂ１）
【００４５】
ＤＱＰＳＫ復調部３１は、複素信号ｙ’［ｋ］が受信装置１にて受信されたＱＰＳＫ信号ｙ［ｋ］であるとみなした上で（上記式（Ａ１）参照）、複素信号ｙ’［ｋ］の同相成分及び直交成分に基づき情報データａ［ｋ］及びｂ［ｋ］の値を判定することができる。この判定の方法として、公知の軟判定方法（例えば、軟判定ビタビ復号を利用した方法）又は公知の硬判定方法を利用可能である。尚、ＤＱＰＳＫ復調部３１の後段に復号部（不図示）が設けられていると考えても良い。この場合、ＤＱＰＳＫ復調部３１は複素信号ｙ’［ｋ］の生成までを行い、上記復号部が複素信号ｙ’［ｋ］に基づく情報データａ［ｋ］及びｂ［ｋ］の値の判定（即ち、情報データの復号）を行う。
【００４６】
次に、信号選択部３０の構成及び動作を詳細に説明する。図２は、信号選択部３０として用いることが可能な信号選択部３０ａの内部ブロック図である。信号選択部３０ａは、信号強度検出部４１及び４２、比較部４３並びに選択処理部４４を備える。ＤＱＰＳＫ受信信号ｚA［ｋ］、ｚA［ｋ−１］、ｚB［ｋ］及びｚB［ｋ−１］が信号選択部３０ａに与えられた時における、信号選択部３０ａ内の各部位の動作を説明する。
【００４７】
信号強度検出部４１は、ｚA［ｋ］及びｚA［ｋ−１］のどちらか一方又は双方に基づいて信号強度値ＳＬA［ｋ］を算出することで、受信系統１０の受信信号の大きさ（換言すれば、受信系統１０の受信信号強度）を検出する。同様に、信号強度検出部４２は、ｚB［ｋ］及びｚB［ｋ−１］のどちらか一方又は双方に基づいて信号強度値ＳＬB［ｋ］を算出することで、受信系統２０の受信信号の大きさ（換言すれば、受信系統２０の受信信号強度）を検出する。
【００４８】
信号強度値ＳＬA［ｋ］を、離散時刻ｋのＤＱＰＳＫ変調信号を受信系統１０にて受信する時における、受信系統１０の受信信号の大きさを表す値として取り扱うことができる。同様に、信号強度値ＳＬB［ｋ］を、離散時刻ｋのＤＱＰＳＫ変調信号を受信系統２０にて受信する時における、受信系統２０の受信信号の大きさを表す値として取り扱うことができる。受信系統１０の受信信号の大きさは、アンテナ１１にて受信された信号の強度を表し、該強度が大きくなるに従って受信系統１０の受信信号の大きさは増大すると共に電圧信号であるＤＱＰＳＫ受信信号ｚA［ｋ］及びｚA［ｋ−１］の電圧レベル（電圧の大きさ）は大きくなる。受信系統２０の受信信号の大きさについても同様である。
【００４９】
比較部４３は、信号強度値ＳＬA［ｋ］及びＳＬB［ｋ］の比較を介して受信系統１０の受信信号の大きさ及び受信系統２０の受信信号の大きさを比較し、その比較結果を選択処理部４４に与える。
【００５０】
選択処理部４４は、比較部４３の比較結果に基づき、受信信号の大きさが大きい方のチャンネルを選択する。不等式「ＳＬA［ｋ］＞ＳＬB［ｋ］」が成立する場合には、受信系統１０の受信信号の大きさの方が受信系統２０のそれよりも大きいと判断されて、選択処理部４４においてｚA［ｋ］及びｚA［ｋ−１］が夫々ｚSEL［ｋ］及びｚSEL［ｋ−１］として選択される。逆に、不等式「ＳＬA［ｋ］＜ＳＬB［ｋ］」が成立する場合には、受信系統２０の受信信号の大きさの方が受信系統１０のそれよりも大きいと判断されて、選択処理部４４においてｚB［ｋ］及びｚB［ｋ−１］が夫々ｚSEL［ｋ］及びｚSEL［ｋ−１］として選択される。尚、ＳＬA［ｋ］＝ＳＬB［ｋ］の場合、選択処理部４４は、ｚA［ｋ］及びｚA［ｋ−１］をｚSEL［ｋ］及びｚSEL［ｋ−１］として選択しても良いし、ｚB［ｋ］及びｚB［ｋ−１］をｚSEL［ｋ］及びｚSEL［ｋ−１］として選択しても良い。
【００５１】
信号強度検出部４１及び４２は、例えば、下記式（Ｃ１A）及び（Ｃ１B）に従って、信号強度値ＳＬA［ｋ］及びＳＬB［ｋ］を算出することができる。この場合、電圧信号であるｚA［ｋ］及びｚA［ｋ−１］の信号レベル和（電圧レベル和）に基づいて信号強度値ＳＬA［ｋ］が算出されることとなる。信号強度値ＳＬB［ｋ］も同様である。
【００５２】
【数１】
2011119822.tif 000003
【００５３】
或いは例えば、下記式（Ｃ２A）及び（Ｃ２B）に従って、信号強度値ＳＬA［ｋ］及びＳＬB［ｋ］を算出するようにしても良い。この場合、ｚA［ｋ］及びｚA［ｋ−１］の電力レベル和に基づいて信号強度値ＳＬA［ｋ］が算出されることとなる。信号強度値ＳＬB［ｋ］も同様である。更に或いは例えば、下記式（Ｃ３A）及び（Ｃ３B）に従って、信号強度値ＳＬA［ｋ］及びＳＬB［ｋ］を算出するようにしても良い。
【００５４】
【数２】
2011119822.tif 000004
【００５５】
式（Ｃ１A）及び（Ｃ１B）、式（Ｃ２A）及び（Ｃ２B）、又は、式（Ｃ３A）及び（Ｃ３B）を用いた場合、信号強度値ＳＬA［ｋ］がｚA［ｋ］及びｚA［ｋ−１］の双方に基づいて算出されると共に、信号強度値ＳＬB［ｋ］がｚB［ｋ］及びｚB［ｋ−１］の双方に基づいて算出される。但し、既に述べたように、ｚA［ｋ］及びｚA［ｋ−１］のどちらか一方に基づいて信号強度値ＳＬA［ｋ］を算出するようにしても良いし、ｚB［ｋ］及びｚB［ｋ−１］のどちらか一方に基づいて信号強度値ＳＬB［ｋ］を算出するようにしても良い。
【００５６】
即ち例えば、下記式（Ｄ１A）及び（Ｄ１B）に従って、下記式（Ｄ２A）及び（Ｄ２B）に従って、又は、下記式（Ｄ３A）及び（Ｄ３B）に従って信号強度値ＳＬA［ｋ］及びＳＬB［ｋ］を算出するようにしても良い。或いは例えば、下記式（Ｅ１A）及び（Ｅ１B）に従って、下記式（Ｅ２A）及び（Ｅ２B）に従って、又は、下記式（Ｅ３A）及び（Ｅ３B）に従って信号強度値ＳＬA［ｋ］及びＳＬB［ｋ］を算出するようにしても良い。
【００５７】
【数３】
2011119822.tif 000005
【数４】
2011119822.tif 000006
【００５８】
上述した受信系統の受信信号の大きさの具体的検出方法、即ち、上述した信号強度値ＳＬA［ｋ］及びＳＬB［ｋ］の具体的算出式は例示であり、それらを様々に変形可能であることは言うまでもない。
【００５９】
図２の信号選択部３０ａの構成を更に高度化することで、図３の信号選択部３０ｂを形成することもでき、信号選択部３０ａの代わりに信号選択部３０ｂを図１の信号選択部３０として用いることもできる。図３は、信号選択部３０ｂの内部ブロック図である。信号選択部３０ｂは、信号強度検出部５１及び５２、比較部５３、選択処理部５４並びに選択制御部５５を備える。ＤＱＰＳＫ受信信号ｚA［ｋ］、ｚA［ｋ−１］、ｚB［ｋ］及びｚB［ｋ−１］が信号選択部３０ｂに与えられた時における、信号選択部３０ｂ内の各部位の動作を説明する。
【００６０】
信号強度検出部５１は、ＤＱＰＳＫ受信信号ｚA［ｋ］及びｚA［ｋ−１］に基づいて信号強度値ＳＬA［ｋ］を算出することで受信系統１０の受信信号の大きさを検出する。具体的には、信号強度検出部５１は、ｚA［ｋ］に基づいて信号ｚA［ｋ］の大きさを表す演算値ＶA［ｋ］を求めると共にｚA［ｋ−１］に基づいて信号ｚA［ｋ−１］の大きさを表す演算値ＶA［ｋ−１］を求め、更に、等式「ＳＬA［ｋ］＝ＶA［ｋ］＋ＶA［ｋ−１］」に従って信号強度値ＳＬA［ｋ］を求める。
【００６１】
同様に、信号強度検出部５２は、ＤＱＰＳＫ受信信号ｚB［ｋ］及びｚB［ｋ−１］に基づいて信号強度値ＳＬB［ｋ］を算出することで受信系統２０の受信信号の大きさを検出する。具体的には、信号強度検出部５２は、ｚB［ｋ］に基づいて信号ｚB［ｋ］の大きさを表す演算値ＶB［ｋ］を求めると共にｚB［ｋ−１］に基づいて信号ｚB［ｋ−１］の大きさを表す演算値ＶB［ｋ−１］を求め、更に、等式「ＳＬB［ｋ］＝ＶB［ｋ］＋ＶB［ｋ−１］」に従って信号強度値ＳＬB［ｋ］を求める。
【００６２】
例えば、式（Ｄ１A）の右辺の値、式（Ｅ１A）の右辺の値、式（Ｄ１B）の右辺の値、式（Ｅ１B）の右辺の値が、夫々、ＶA［ｋ］、ＶA［ｋ−１］、ＶB［ｋ］、ＶB［ｋ−１］の値として求められる。この場合、信号強度値ＳＬA［ｋ］及びＳＬB［ｋ］は、上記式（Ｃ１A）及び（Ｃ１B）に従った値となる。
或いは例えば、式（Ｄ２A）の右辺の値、式（Ｅ２A）の右辺の値、式（Ｄ２B）の右辺の値、式（Ｅ２B）の右辺の値が、夫々、ＶA［ｋ］、ＶA［ｋ−１］、ＶB［ｋ］、ＶB［ｋ−１］の値として求められる。この場合、信号強度値ＳＬA［ｋ］及びＳＬB［ｋ］は、上記式（Ｃ２A）及び（Ｃ２B）に従った値となる。
更に或いは例えば、（Ｄ３A）の右辺の値、式（Ｅ３A）の右辺の値、式（Ｄ３B）の右辺の値、式（Ｅ３B）の右辺の値が、夫々、ＶA［ｋ］、ＶA［ｋ−１］、ＶB［ｋ］、ＶB［ｋ−１］の値として求められる。この場合、信号強度値ＳＬA［ｋ］及びＳＬB［ｋ］は、上記式（Ｃ３A）及び（Ｃ３B）に従った値となる。
【００６３】
上述したＤＱＰＳＫ受信信号の大きさの具体的検出方法、即ち、上述した演算値ＶA［ｋ］、ＶA［ｋ−１］、ＶB［ｋ］及びＶB［ｋ−１］の具体的算出式は例示であり、それらを様々に変形可能であることは言うまでもない。
【００６４】
比較部５３は、信号強度値ＳＬA［ｋ］及びＳＬB［ｋ］の比較を介して受信系統１０の受信信号の大きさ及び受信系統２０の受信信号の大きさを比較し、その比較結果を表すＳＥＬ信号を選択処理部５４のＳＥＬ端子に与える。不等式「ＳＬA［ｋ］＞ＳＬB［ｋ］」が成立する場合には、受信系統１０の受信信号の大きさの方が受信系統２０のそれよりも大きいと判断し、「１」の値を持つＳＥＬ信号を選択処理部５４のＳＥＬ端子に与える一方、不等式「ＳＬA［ｋ］＜ＳＬB［ｋ］」が成立する場合には、受信系統２０の受信信号の大きさの方が受信系統１０のそれよりも大きいと判断し、「０」の値を持つＳＥＬ信号を選択処理部５４のＳＥＬ端子に与える。ＳＬA［ｋ］＝ＳＬB［ｋ］の場合、ＳＥＬ信号の値は「０」でも「１」でも良い。
【００６５】
選択処理部５４には、ＳＥＬ端子に加えて、Ａ強制選択端子及びＢ強制選択端子が備えられている。選択処理部５４は、Ａ強制選択端子及びＢ強制選択端子に与えられる信号の値が共に「０」である場合には、ＳＥＬ信号の値に従って、受信信号の大きさが大きい方のチャンネルを選択する。即ち、Ａ強制選択端子及びＢ強制選択端子に与えられる信号の値が共に「０」である場合において、ＳＥＬ端子に「１」の値を持つＳＥＬ信号が入力されているときにはｚA［ｋ］及びｚA［ｋ−１］を夫々ｚSEL［ｋ］及びｚSEL［ｋ−１］として選択し、選択処理部５４のＳＥＬ端子に「０」の値を持つＳＥＬ信号が入力されているときにはｚB［ｋ］及びｚB［ｋ−１］を夫々ｚSEL［ｋ］及びｚSEL［ｋ−１］として選択する。
【００６６】
選択制御部５５は、演算値ＶA［ｋ］及びＶA［ｋ−１］に基づき、選択処理部５４のＢ強制選択端子に「１」又は「０」の値を有する信号を出力する。具体的には、演算値ＶA［ｋ］及びＶA［ｋ−１］と所定の下限値ＴＨとを比較し、不等式「ＶA［ｋ］＜ＴＨ」又は「ＶA［ｋ−１］＜ＴＨ」が成立する場合には、Ｂ強制選択端子に「１」の値を有する信号を出力する。一方、不等式「ＶA［ｋ］≧ＴＨ」及び「ＶA［ｋ−１］≧ＴＨ」の双方が成立する場合には、Ｂ強制選択端子に「０」の値を有する信号を出力する。ここで、ＴＨ＞０である。
【００６７】
同様に、選択制御部５５は、演算値ＶB［ｋ］及びＶB［ｋ−１］に基づき、選択処理部５４のＡ強制選択端子に「１」又は「０」の値を有する信号を出力する。具体的には、演算値ＶB［ｋ］及びＶB［ｋ−１］と上記の下限値ＴＨとを比較し、不等式「ＶB［ｋ］＜ＴＨ」又は「ＶB［ｋ−１］＜ＴＨ」が成立する場合には、Ａ強制選択端子に「１」の値を有する信号を出力する。一方、不等式「ＶB［ｋ］≧ＴＨ」及び「ＶB［ｋ−１］≧ＴＨ」の双方が成立する場合には、Ａ強制選択端子に「０」の値を有する信号を出力する。
【００６８】
選択処理部５４は、Ａ強制選択端子に与えられる信号の値が「１」である場合には、ＳＥＬ信号の値に関わらず（即ち、受信系統１０の受信信号の大きさと受信系統２０の受信信号の大きさとの比較結果に関わらず）、強制的にｚA［ｋ］及びｚA［ｋ−１］を夫々ｚSEL［ｋ］及びｚSEL［ｋ−１］として選択する。同様に、選択処理部５４は、Ｂ強制選択端子に与えられる信号の値が「１」である場合には、ＳＥＬ信号の値に関わらず、強制的にｚB［ｋ］及びｚB［ｋ−１］を夫々ｚSEL［ｋ］及びｚSEL［ｋ−１］として選択する。
【００６９】
受信信号の信号レベル或いは電力が極端に小さい場合、その信号は殆ど情報を持たない。情報を殆ど持たないチャンネルの受信信号を選択して復調に用いても正確な復調結果は得がたいため、信号レベル或いは電力が極端に小さいチャンネルの受信信号は、比較部の比較結果に関わらず、復調用信号として選択されるべきではない。図３の信号選択部３０ｂは、この要望に応えることができる。例えば、ＶA［ｋ］、ＶA［ｋ−１］、ＶB［ｋ］及びＶB［ｋ−１］が夫々１、１０、４及び５であって且つＴＨ＝２である場合、「ＳＬA［ｋ］＝１＋１０＞ＳＬB［ｋ］＝４＋５」となってＳＥＬ信号の値はＡチャンネル選択を示す「１」となるが、「ＶA［ｋ］＝１＜ＴＨ＝２」が成立するため、Ｂ強制選択端子に「１」の値を有する信号が入力され、結果、ｚB［ｋ］及びｚB［ｋ−１］がｚSEL［ｋ］及びｚSEL［ｋ−１］として選択される。
【００７０】
信号選択部３０ａ又は３０ｂとしての信号選択部３０は、単位時間ごとに第１又は第２信号群の選択を行う。図４に、信号選択部３０において第１信号群と第２信号群が交互に選択された場合における、ＡチャンネルのＤＱＰＳＫ受信信号、第１信号群、ＢチャンネルのＤＱＰＳＫ受信信号、第２信号群及び信号選択部３０の出力信号を示す。
【００７１】
信号選択部３０は、同期処理部１３及び２３からＤＱＰＳＫ受信信号ｚA［２］及びｚB［２］が出力されているタイミングにおいては、ｚA［１］、ｚA［２］、ｚB［１］及びｚB［２］の全部又は一部に基づいて、“ｚA［１］及びｚA［２］”又は“ｚB［１］及びｚB［２］”を“ｚSEL［１］及びｚSEL［２］”として選択し、同期処理部１３及び２３からＤＱＰＳＫ受信信号ｚA［３］及びｚB［３］が出力されているタイミングにおいては、ｚA［２］、ｚA［３］、ｚB［２］及びｚB［３］の全部又は一部に基づいて、“ｚA［２］及びｚA［３］”又は“ｚB［２］及びｚB［３］”を“ｚSEL［２］及びｚSEL［３］”として選択する。それ以外のタイミングについても同様である。
【００７２】
図４に示す例では、同期処理部１３及び２３からＤＱＰＳＫ受信信号ｚA［２×ｉ］及びｚB［２×ｉ］が出力されているタイミングにおいてはＡチャンネルが選択され、同期処理部１３及び２３からＤＱＰＳＫ受信信号ｚA［２×ｉ＋１］及びｚB［２×ｉ＋１］が出力されているタイミングにおいてはＢチャンネルが選択されている（ｉは整数）。
【００７３】
従って、ＤＱＰＳＫ復調部３１は、
ｚSEL［１］及びｚSEL［２］としてのｚA［１］及びｚA［２］に基づいて複素信号ｙ’［２］を求め、
ｚSEL［２］及びｚSEL［３］としてのｚB［２］及びｚB［３］に基づいて複素信号ｙ’［３］を求め、
ｚSEL［３］及びｚSEL［４］としてのｚA［３］及びｚA［４］に基づいて複素信号ｙ’［４］を求め、
ｚSEL［４］及びｚSEL［５］としてのｚB［４］及びｚB［５］に基づいて複素信号ｙ’［５］を求める（それら以外の複素信号ｙ’［ｋ］についても同様）。そして、求めた複素信号ｙ’［２］〜ｙ’［５］から情報データａ［２］〜ａ［５］及びｂ［２］〜ｂ［５］の値を判定することができる（それら以外の情報データａ［ｋ］及びｂ［ｋ］についても同様）。
【００７４】
本実施形態の方法によれば、切り替えダイバーシティ受信を行う受信装置において、ＤＱＰＳＫ復調を必ず同一チャンネルの受信信号を用いて行うことが可能となり、結果、受信特性（ダイバーシティ特性、復調特性）が向上する。また、図３の信号選択部３０ｂによれば、信号レベル或いは電力が極端に小さいチャンネルの受信信号が選択対象から除外されるため、受信特性が更に向上する。
【００７５】
＜＜変形等＞＞
上述の説明文中に示した具体的な数値は、単なる例示であって、当然の如く、それらを様々な数値に変更することができる。上述の実施形態の変形例または注釈事項として、以下に、注釈１〜注釈５を記す。各注釈に記載した内容は、矛盾なき限り、任意に組み合わせることが可能である。
【００７６】
［注釈１］
１シンボル分の情報データに対応する１個のＤＱＰＳＫ変調信号を順次送信する通信システムに本発明を適用した例を上述したが、本発明は、それ以外の通信システムに対しても適用可能である。例えば、ＯＦＤＭ（直交周波数多重分割；Orthogonal Frequency Division Multiplexing）伝送方式に従って通信を行う通信システムに本発明を適用する場合を考える。
【００７７】
一般的に知られるように、ＯＦＤＭ伝送方式は、１チャンネルの帯域内に互いに直交する多数のサブキャリアを多重して伝送する方式である。サブキャリアの本数がＭであるとし（Ｍは２以上の整数）、各サブキャリアのキャリア番号をｍにて表す（ｍは１以上Ｍ以下の整数）。更に、離散時刻ｋにおけるキャリア番号ｍのサブキャリアを、ｅ［ｍ］［ｋ］にて表す。
【００７８】
ＯＤＦＭ伝送方式によってＤＱＰＳＫ変調信号を送出する場合、ｅ［ｍ1］［ｋ−１］とｅ［ｍ2］［ｋ］の間でＤＱＰＳＫ変調信号が送出されるときにおいても、本発明は適用可能である（ｍ1及びｍ2は１以上Ｍ以下の整数であって、ｍ1とｍ2は一致していても一致していなくても良い）。即ち、サブキャリアｅ［ｍ1］［ｋ−１］によるＤＱＰＳＫ変調信号及びサブキャリアｅ［ｍ2］［ｋ］によるＤＱＰＳＫ変調信号が夫々ｚ［ｋ−１］及びｚ［ｋ］であると考えた上で、本発明に係る方法を適用すれば良い。ｍ1＝ｍ2の場合には、サブキャリアごとにＤＱＰＳＫ方式による変復調がなされ、サブキャリアごとに切り替えダイバーシティ受信が成されることになる。
【００７９】
［注釈２］
本発明をＤＱＰＳＫ方式に適用する場合を説明したが、Ｄ１６ＱＡＭ（Differential 16 Quadrature Amplitude Modulation）方式やＤ８ＰＳＫ（Differential 8 Phase Shift Keying）方式のように、ＱＰＳＫ（Quadrature Phase Shift Keying）を基礎にしない変調方式に対しても本発明は適用可能である。本発明が有効に機能する変調方式は、時間的に連続する信号の信号点の関係に基づいて情報符号を割り当てる変調方式であり、そのような変調方式により変調された信号を受信する受信装置であって且つ切り替えダイバーシティ受信を行う受信装置に対して、本発明は広く適用可能である。
【００８０】
［注釈３］
図１の受信装置１に設けられた受信系統の数は２であるが、３以上の受信系統を受信装置１に持たせ、３以上の受信系統を用いて切り替えダイバーシティ受信を行うようにしても良い。
【００８１】
［注釈４］
本発明に係る受信装置（例えば、図１の受信装置１）は、ハードウェア、或いは、ハードウェアとソフトウェアの組み合わせによって実現可能である。
【００８２】
［注釈５］
本発明に係る受信装置（例えば、図１の受信装置１）を、様々な通信機器（又は通信機器を含む電子機器）に搭載することが可能である。例えば、本発明に係る受信装置を、携帯電話機や放送受信機（特に例えば車載用放送受信機）に搭載することができる。
【符号の説明】
【００８３】
１  受信装置
１０、２０  受信系統
１１、２１  アンテナ
１２、２２  Ａ／Ｄ変換部
１３、２３  同期処理部
１４、２４  遅延部
３０、３０ａ、３０ｂ  信号選択部
３１  ＤＱＰＳＫ復調部
４１、４２、５１、５２  信号強度検出部
４３、５３  比較部
４４、５４  選択処理部
５５  選択制御部
【図１】
2011119822.tif 000007
【図２】
2011119822.tif 000008
【図３】
2011119822.tif 000009
【図４】
2011119822.tif 000010
【図５】
2011119822.tif 000011
【図６】
2011119822.tif 000012
【図７】
2011119822.tif 000013
【図８】
2011119822.tif 000014
【図９】
2011119822.tif 000015
【図１０】
2011119822.tif 000016
【図１１】
2011119822.tif 000017
【図１２】
2011119822.tif 000018